(57)【要約】【課題】急激な降雪時にも雪下ろしが安定して行われ、装置に過度な負荷がかかって故障することもなく、一度の落下量を調整できて安全な屋根の雪下ろし装置を提供する。【解決手段】本発明の屋根の雪下ろし装置は、袋状体２と、袋状体２に気体を供給するための気体供給手段３と、袋状体２内から気体を排出するための気体排出手段８と、袋状体２と気体供給手段３とを連通する連通部４と、袋状体２の上部に降り積もった積雪量を検知する検知手段５と、気体供給手段３と気体排出手段８と検知手段５とを制御するための制御部６とを備え、制御部６は、検知手段５が設定量の積雪量を検知すると、気体供給手段３を作動させて袋状体２内に気体を供給して膨張させ、または／および気体排出手段８を作動させて袋状体２内の気体を排出して収縮させ、袋状体２の上部に降り積もった積雪を落下させるように制御する。【選択図】図１
2015068026.tif 000002
【特許請求の範囲】
【請求項１】
屋根の上面に載置され内部に供給される気体により膨張、または／および内部から気体が排出されることにより収縮して積雪を落下させる袋状体と、該袋状体に気体を供給するための気体供給手段と、前記袋状体内から気体を排出するための気体排出手段と、前記袋状体と前記気体供給手段とを連通する連通部と、前記袋状体の上部に降り積もった積雪量を検知する検知手段と、前記気体供給手段と前記気体排出手段と前記検知手段とを制御するための制御部とを備え、前記制御部は、前記検知手段が設定量の積雪量を検知すると、前記気体供給手段を作動させて前記袋状体内に気体を供給して膨張させ、または／および前記気体排出手段を作動させて前記袋状体内の気体を排出して収縮させ、前記袋状体の上部に降り積もった積雪を落下させるように制御することを特徴とする屋根の雪下ろし装置。
【請求項２】
前記屋根の雪下ろし装置は、前記連通部に設けられ前記気体供給手段から前記袋状体側への気体の流入のみを許容する逆止弁からなる第１開閉弁を有し、該第１開閉弁は前記制御部により開閉制御されている請求項１に記載の屋根の雪下ろし装置。
【請求項３】
前記気体排出手段は、前記袋状体に設けられ前記袋状体内に供給された気体を外部に排出するための第２開閉弁にて構成され、前記第２開閉弁は前記制御部により開閉制御されている請求項１または２に記載の屋根の雪下ろし装置。
【請求項４】
前記屋根の雪下ろし装置は、前記第１開閉弁の開閉を検出する検出手段を有し、前記制御部は、前記検出手段が前記第１開閉弁の開放を検出すると、前記気体供給手段を作動させて前記袋状体内に気体を供給して膨張させるように制御する請求項２または３に記載の屋根の雪下ろし装置。
【請求項５】
前記屋根の雪下ろし装置は、該屋根の雪下ろし装置による積雪の落下を事前に報知するための報知手段を有している請求項１ないし４のいずれかに記載の屋根の雪下ろし装置。
【請求項６】
前記袋状体は縦横に配され個々に膨張可能な小袋状体にて構成されており、隣接する小袋状体同士はファスナーにて連結されている請求項１ないし５のいずれかに記載の屋根の雪下ろし装置。
【請求項７】
前記制御部は、下方行の前記小袋状体から順次上方行の前記小袋状体を膨張させ積雪を落下させるように制御する請求項６に記載の屋根の雪下ろし装置。
【請求項８】
前記小袋状体は、側面視で、軒側に向かって高く、かつ棟側に向かって低い略三角形状に膨張するように構成されており、前記制御部は、前記検知手段が設定量の積雪量を検知すると、前記気体排出手段を作動させて前記袋状体内の気体を排出して収縮させ、前記小袋状体の上部に降り積もった積雪を落下させるように制御する請求項６または７に記載の屋根の雪下ろし装置。
【請求項９】
前記小袋状体は、側面視で上辺が弧状に膨張するように構成されている請求項６または７に記載の屋根の雪下ろし装置。
【発明の詳細な説明】
【技術分野】
【０００１】
本発明は、屋根の上に配置した袋状体を膨張または収縮させることにより積雪を落下させる屋根の雪下ろし装置に関するものである。
【背景技術】
【０００２】
豪雪地方の雪下ろしは大変な労力を要する作業であると共に、極めて危険な作業であるため、毎年尊い命が犠牲となっている。このような雪下ろしを容易かつ安全に行うことができる装置として、屋根の上に載置した袋状体を気体で膨張させることにより積雪を落下させる屋根の雪下ろし装置が種々提案されている。例えば、そのような装置として、実公平７−８７４１号公報の屋根の雪降ろし装置などがある。
【０００３】
しかし、この種の屋根の雪下ろし装置は、使用者が雪下ろしを行う時を判断して自ら装置を作動させていたため、急激な降雪時には既に装置自体の能力を越えて雪下ろしが不能となったり、装置に過度な負荷がかかり故障の要因になることがあった。
【先行技術文献】
【特許文献】
【０００４】
【特許文献１】実公平７−８７４１号公報
【発明の概要】
【発明が解決しようとする課題】
【０００５】
そこで、本発明の課題は、急激な降雪時にも雪下ろしが安定して行われ、装置に過度な負荷がかかって故障することもなく、一度の落下量を調整できて安全に雪下ろしが可能な屋根の雪下ろし装置を提供することにある。
【課題を解決するための手段】
【０００６】
上記課題を解決するものは、屋根の上面に載置され内部に供給される気体により膨張、または／および内部から気体が排出されることにより収縮して積雪を落下させる袋状体と、該袋状体に気体を供給するための気体供給手段と、前記袋状体内から気体を排出するための気体排出手段と、前記袋状体と前記気体供給手段とを連通する連通部と、前記袋状体の上部に降り積もった積雪量を検知する検知手段と、前記気体供給手段と前記気体排出手段と前記検知手段とを制御するための制御部とを備え、前記制御部は、前記検知手段が設定量の積雪量を検知すると、前記気体供給手段を作動させて前記袋状体内に気体を供給して膨張させ、または前記気体排出手段を作動させて前記袋状体内の気体を排出して収縮させ、前記袋状体の上部に降り積もった積雪を落下させるように制御することを特徴とする屋根の雪下ろし装置である。
【０００７】
前記屋根の雪下ろし装置は、前記連通部に設けられ前記気体供給手段から前記袋状体側への気体の流入のみを許容する逆止弁からなる第１開閉弁を有し、該第１開閉弁は前記制御部により開閉制御されていることが好ましい。
【０００８】
前記気体排出手段は、前記袋状体に設けられ前記袋状体内に供給された気体を外部に排出するための第２開閉弁にて構成され、前記第２開閉弁は前記制御部により開閉制御されていることが好ましい。
【０００９】
前記屋根の雪下ろし装置は、前記第１開閉弁の開閉を検出する検出手段を有し、前記制御部は、前記検出手段が前記第１開閉弁の開放を検出すると、前記気体供給手段を作動させて前記袋状体内に気体を供給して膨張させるように制御することが好ましい。
【００１０】
前記屋根の雪下ろし装置は、該屋根の雪下ろし装置による積雪の落下を事前に報知するための報知手段を有していることが好ましい。
【００１１】
前記袋状体は縦横に配され個々に膨張可能な小袋状体にて構成されており、隣接する小袋状体同士はファスナーにて連結されていることが好ましい。
【００１２】
前記制御部は、下方行の前記小袋状体から順次上方行の前記小袋状体を膨張させ積雪を落下させるように制御することが好ましい。
【００１３】
前記小袋状体は、側面視で、軒側に向かって高く、かつ棟側に向かって低い略三角形状に膨張するように構成されており、前記制御部は、前記検知手段が設定量の積雪量を検知すると、前記気体排出手段を作動させて前記袋状体内の気体を排出して収縮させ、前記小袋状体の上部に降り積もった積雪を落下させるように制御するものであることが好ましい。
【００１４】
前記小袋状体は、側面視で、軒側に向かって低く、かつ棟側に向かって高い略三角形状に膨張するように構成されていてもよい。
【００１５】
前記小袋状体は、側面視で上辺が弧状に膨張するように構成されていてもよい。
【発明の効果】
【００１６】
請求項１に記載した屋根の雪下ろし装置によれば、積雪量を検知して雪下ろしを行うため急激な降雪時にも雪下ろしが自動的に安定して行われる。また、装置に過度な負荷がかからない積雪量にて雪下ろしを行うことで故障を回避することができる。さらに、雪下ろしを行う積雪量を少量に設定することで一度の落下量を調整でき、雪の落下に遭遇しても量的に安全な雪下ろしが可能となる。
【００１７】
請求項２に記載した屋根の雪下ろし装置によれば、第１開閉弁を逆止弁とすることで袋状体への気体の流入をより確実に行うことができると共に、雪の重みで袋状体側から気体供給手段へ気体が逆流して気体供給手段を損傷させることがなく、気体供給手段もより低出力のものでも使用可能となり、より低廉に屋根の雪下ろし装置を作製できる。
【００１８】
請求項３に記載した屋根の雪下ろし装置によれば、気体排出手段である第２開閉弁を制御部にて制御することで、袋状体からの気体の排出を適時に、かつ、より確実に行うことができる。
【００１９】
請求項４に記載した屋根の雪下ろし装置によれば、第１開閉弁の開閉を検出する検出手段が設けられることにより、第１開閉弁が故障で閉塞している場合には、制御部が気体供給手段を作動させないため、気体供給手段が損傷することを防止できる。
【００２０】
請求項５に記載した屋根の雪下ろし装置によれば、使用者等が屋根の雪下ろし装置による雪の落下を事前に知ることで安全性を確保することができる。
【００２１】
請求項６に記載した屋根の雪下ろし装置によれば、屋根の寸法に応じてより容易に小袋状体を連結させて袋状体を構成することができる。
【００２２】
請求項７に記載した屋根の雪下ろし装置によれば、屋根の上の積雪を少量に分けて安全かつ効率的に落下させることができる。
【００２３】
請求項８に記載した屋根の雪下ろし装置によれば、積雪の自重で小袋状体が急速に収縮するため屋根の上の積雪をより確実に落下させることができる。
【００２４】
請求項９に記載した屋根の雪下ろし装置によれば、小袋状体の上辺が側面視で弧状に膨張するため、下方行と上方行との間に小袋状体の折り畳み部が形成されず、下方行と上方行との間で折り畳み部によって積雪が係止されてしまうことがなく、屋根の上の積雪をより確実に落下させることができる。
【図面の簡単な説明】
【００２５】
【図１】本発明の屋根の雪下ろし装置の一実施例を説明するための説明図である。
【図２】図１に示した屋根の雪下ろし装置における、袋状体の屋根への配置状態を説明するための斜視概略図である。
【図３】図１に示した屋根の雪下ろし装置における、小袋状体の連結状態を説明するための平面概略図である。
【図４】図１に示した屋根の雪下ろし装置における、袋状体の屋根への取り付け方法を説明するための説明図である。
【図５】図１に示した屋根の雪下ろし装置における、袋状体の形態を説明するための斜視説明図である。
【図６】本発明の屋根の雪下ろし装置の他の実施例における袋状体の形態を説明するための斜視説明図である。
【図７】本発明の屋根の雪下ろし装置の他の実施例における袋状体の形態を説明するための斜視説明図である。
【発明を実施するための形態】
【００２６】
本発明では、検知手段５が設定量の積雪量を検知すると、制御部６は気体供給手段３を作動させて袋状体２内に気体を供給して膨張させ、または／および気体排出手段８を作動させて袋状体２内の気体を排出して収縮させ、袋状体２の上部に降り積もった積雪を落下させるように制御するため、急激な降雪時にも雪下ろしが安定して行われ、装置に過度な負荷がかかって故障することもなく、一度の落下量を調整できて安全な屋根の雪下ろし装置を実現した。
【実施例１】
【００２７】
本発明の屋根の雪下ろし装置を図１ないし図５に示した一実施例を用いて説明する。
この実施例の屋根の雪下ろし装置１は、屋根の上面に載置され内部から気体が排出されることにより収縮して積雪を落下させる袋状体２と、袋状体２に気体を供給するための気体供給手段３と、袋状体２と気体供給手段３とを連通する連通部４と、袋状体２の上部に降り積もった積雪量を検知する検知手段５と、連通部４に設けられ気体供給手段３から袋状体２側への気体の流入のみを許容する逆止弁からなる第１開閉弁７と、袋状体２に設けられ袋状体２内に供給された気体を外部に排出するための第２開閉弁８と、第１開閉弁７の開閉を検出する検出手段９と、屋根の雪下ろし装置１による積雪の落下を事前に報知するための報知手段１０と、気体供給手段３と検知手段５と第１開閉弁７と第２開閉弁８と検出手段９と報知手段１０を制御するための制御部６とを備え、制御部６は、検知手段５が設定量の積雪量を検知すると、気体供給手段３を作動させて袋状体２内の気体を排出して収縮させ袋状体２の上部に降り積もった積雪を落下させるように制御する。以下、各構成について順次詳述する。
【００２８】
袋状体２は、内部に供給された気体（実施例では空気）が排出され収縮することにより積雪を落下させるものであり、図１または図２に示すように、屋根３０の上面に載置固定される。なお、この実施例の屋根の雪下ろし装置１は、袋状体２の収縮時に積雪を落下させるものであるが、本発明の屋根の雪下ろし装置は、これに限定されるものではなく、袋状体の膨張時に積雪を落下させるもの、袋状体の膨張および収縮により積雪を落下させるもの、さらに、袋状体の膨張および収縮を複数回繰り返して積雪を落下させるものも本発明の範疇に包含される。
【００２９】
この実施例の袋状体２は、図２に示すように、縦横に配され個々に膨張可能な小袋状体１１にて構成されている。これにより、屋根の寸法に応じて必要数の小袋状体を連結させて袋状体を構成することができる。
【００３０】
具体的には、この実施例の袋状体２は、横方向（行方向）に３枚並設された小袋状体１１が縦方向に三行、計９枚が、屋根３０の一面にそれぞれ配設されており、屋根全体では合計１８枚の小袋状体１１にて袋状体２が構成されている。
【００３１】
より具体的には、この実施例の袋状体２は、図２に示すように、軒３１側に設けられた下方行の小袋状体１１（（１），（２），（３））と、中間行に設けられた小袋状体１１（（４），（５），（６））と、棟３１側に設けられた上方行の小袋状体１１（（７），（８），（９））が、それぞれ棟３１の両側に位置する屋根３０の上面に配されることにより袋状体２が構成されている。
【００３２】
小袋状体１１は、図３に示すように、図３中奥側に位置するシート部１３と、シート部１３の一面側（図３中手前側）に取り付けられた膨張部１４とから構成されており、隣接する小袋状体１１同士は、シート部１３の外縁に設けられたファスナー１２にて連結されている。
【００３３】
なお、図３は一行分の３枚の小袋状体１１（（１），（２），（３））を連結した状態を示す図であり、図３中右端の小袋状体１１の膨張部１４の一端側（右端側）には、後述する連通部４（エアーホース）の一端を取り付けるための連通部接続口（エアー挿入口）１５が設けられており、この連通部接続口（エアー挿入口）１５から小袋状体１１の膨張部１４内に気体が流入され膨張部１４が膨張するように構成されている。なお、中間行に設けられた小袋状体１１（（４），（５），（６））と上方行の小袋状体１１（（７），（８），（９））も小袋状体１１（（１），（２），（３））と同様に構成されている。
【００３４】
袋状体２の膨張部４は、図５に示すように、側面視で軒３１側に向かって高く、かつ棟３２側に向かって低い略三角形状に膨張するように構成されている。これにより、積雪の自重で小袋状体５５を急速に収縮させて屋根の上の積雪をより確実に落下させることができるように構成されている。
【００３５】
図３中、中央に配された小袋状体１１の膨張部１４の下側には、第２開閉弁８を取り付けるための気体排出口（エアー抜き口）１６が設けられている。また、隣接する小袋状体１１同士（具体的には、小袋状体１１（１）と（２）の膨張部１４同士と小袋状体１１（２）と（３）の膨張部１４同士）は、連通管（エアーホース）１７を介して連通しており、小袋状体１１の膨張部１４の下側には、それぞれ連通管（エアーホース）１７を装着するための連通口１８，１９，２０，２１が設けられている。
【００３６】
そして、連通部接続口（エアー挿入口）１５から小袋状体１１（３）の膨張部１４に流入した気体は、連通管（エアーホース）１７を介して小袋状体１１（１）と（２）の膨張部１４へ流入し、３つの小袋状体１１（１），（２），（３）の膨張部１４を膨張させるように構成されている。
【００３７】
他方、３つの小袋状体１１（１），（２），（３）の膨張部１４から気体を排出する場合は、小袋状体１１（１）と（３）の膨張部１４内の気体が、連通管（エアーホース）１７を介して袋状体１１（２）の膨張部１４内に流入し、気体排出口（エアー抜き口）１６から第２開閉弁１６の開放により外部に排出されるように構成されている。
【００３８】
小袋状体１１のシート部１３の上下端部にはそれぞれ、図３に示すように、上下に隣接した小袋状体１１を連結したり、屋根３０に小袋状体１１を固定するための堅結穴２２が設けられている。
【００３９】
そして、上下に隣接した小袋状体１１同士を連結する場合は、上下に隣接した小袋状体１１の堅結用穴２２にロープ（図示しない）を通して両者を連結するように構成されている。また、多数の小袋状体１１により構成された袋状体２を屋根３０に固定する場合は、図４に示すように、最下行に配された小袋状体１１の堅結穴２２にロープ２３を通して軒下３３にロープ２３を垂下させ、ロープ２３に固定したウエイト２４の重量で袋状体２が屋根３０に固定されるように構成されている。
【００４０】
袋状体１１を形成する材質としては、上記袋状体１１の機能を発揮できるものであればどのようなものでもよいが、この実施例では、硬質塩化ビニールシートが使用されている。
【００４１】
気体供給手段３は、袋状体２内に気体を供給するためのものであり、この実施例ではコンプレッサーが使用されている。また、この実施例における気体は空気であるが、これに限定されるものではなく、ヘリウムガス等他の気体を供給する装置を使用してもよい。
【００４２】
連通部４は、袋状体２と気体供給手段３とを連通するための部位であり、この実施例ではエアーホースが使用されている。
【００４３】
検知手段５は、袋状体２の上部に降り積もった積雪量を検知するためのものであり、この実施例では、通電センサーが用いられている。具体的には、通電センサーにより設定時間（例えば５分、１０分、３０分、６０分）毎に電気通電抵抗を測定し積雪量を検知するように構成されている。ただし、本発明における検知手段５は、袋状体２の上部に降り積もった積雪量を検知できるものであればどのような検知手段でもよく、例えばロード（重量）センサーや位置センサーなどでもよい。
【００４４】
第１開閉弁７は、連通部４に設けられ気体供給手段３から袋状体２側への気体の流入のみを許容する逆止弁から構成されている。第１開閉弁７がこのような逆止弁にて構成されることにより、袋状体２への気体の流入をより確実に行うことができると共に、雪の重みで袋状体２側から気体供給手段３へ気体が逆流して気体供給手段３が損傷することが防止され、さらに気体供給手段３としてより低出力のものを使用できてより低廉に屋根の雪下ろし装置を作製できる。
【００４５】
第２開閉弁８は、袋状体２に設けられ袋状体２内に供給された気体を外部に排出するための弁であり、この第２開閉弁８が制御部６に制御されることで、袋状体２からの気体の排出を適時に、かつ、より確実に行うことができる。なお、この実施例の第１開閉弁７および第２開閉弁８は電磁弁にて構成されている。
【００４６】
検出手段９は、第１開閉弁７の開閉の有無を検出するためのものであり、この実施例では圧力センサーが使用されている。このような検出手段９が設けられることにより、第１開閉弁７が故障で閉塞している場合には、制御部６が気体供給手段３を作動させず、気体供給手段３の損傷を防止できる。
【００４７】
報知手段１０は、屋根の雪下ろし装置１による積雪の落下を使用者等に事前に報知するためのものであり、この実施例では鳴動手段（ブザー）が使用されている。このような報知手段１０を屋内外に設けることで、使用者等が屋根の雪下ろし装置１による雪の落下を事前に知ることができ、安全性をより確保することができる。ただし、報知手段１０としては、鳴動手段などの鳴り物に限定されるものではなく、屋根の雪下ろし装置１による積雪の落下を事前に報知できるものであればどのようなものでもよく、例えば視覚に訴えるもの（例えば警告灯など）、または鳴り物と視覚に訴えるものの双方で構成されたものなどであってもよい。
【００４８】
制御部６は、気体供給手段３と検知手段５と第１開閉弁７と第２開閉弁８と検出手段９と報知手段１０を制御するためのものであり、この実施例では、制御盤にて構成されている。
【００４９】
制御部６は、気体供給手段３を作動させて予め袋状体２内に気体を供給して膨張させ、検知手段５が設定量の積雪量を検知すると、第２開閉弁８を作動させて袋状体２内の気体を外部に排出して収縮させ袋状体２の上部に降り積もった積雪を落下させるように制御する。
【００５０】
具体的には、制御部６は、第１開閉弁７を開き、検出手段９がこの開放を確認すると、気体供給手段３を作動させて袋状体２内に気体を供給して膨張させる。そして、検知手段５が設定量の積雪量を検知すると、第２開閉弁８を開いて袋状体２内に気体を外部に排出して収縮させ袋状体２の上部に降り積もった積雪を落下させるように制御する。
【００５１】
このように、本発明では、制御部６が上記のような制御を行うことにより、急激な降雪時にも雪下ろしが安定して自動的に行われる。また、装置に過度な負荷がかからない積雪量にて雪下ろしを行うことで故障を回避することができる。さらに、雪下ろしを行う積雪量を少量に設定することで一度の落下量を調整でき、使用者等が雪の落下に見舞われても量的に安全な雪下ろしが可能となる。
【００５２】
また、制御部６は、下方行の小袋状体１１（（１），（２），（３））から、中間行に設けられた小袋状体１１（（４），（５），（６））、棟３１側に設けられた上方行の小袋状体１１（（７），（８），（９））へと、順次上方行の小袋状体１１を収縮させ積雪を落下させるように制御することで、屋根３０の上の積雪を少量に分けて安全かつ効率的に落下させることができる。なお、袋状体２の膨張部４は、図５に示すように、側面視で軒３１側に向かって高く、かつ棟３２側に向かって低い略三角形状に膨張するように構成され軒３１側に折り畳み部が形成されているため、図７に示した実施例と異なり、上方行の積雪を落下させる際に下方行の小袋状体５３の折り畳み部に雪が詰まってしまうおそれもない。
【００５３】
そして、本発明の屋根の雪下ろし装置１は、検知手段５が設定量の積雪量を検知する度毎に上記動作を繰り返すことで安全かつ効率的に雪下ろしが遂行されるように構成されている。
【００５４】
つぎに、図６に示した本発明の屋根の雪下ろし装置の他の実施例について説明する。
この実施例の屋根の雪下ろし装置４０と前述した屋根の雪下ろし装置１との相違は、袋状体２を構成する小袋状体４１の上辺４２が側面視で弧状に膨張するように構成されている点のみであり他は同様である。屋根の雪下ろし装置１と同一構成部分について同一符号を付し説明を省略する。
【００５５】
このように、屋根の雪下ろし装置４０の小袋状体４１の上辺４２は、側面視で弧状に膨張するため、下方行と上方行との間に小袋状体の折り畳み部が形成されず、下方行と上方行との間で折り畳み部によって積雪が係止されてしまうことがなく、屋根の上の積雪をより確実に落下させることができるように構成されている。
【００５６】
つぎに、図７に示した本発明の屋根の雪下ろし装置の他の実施例について説明する。
この実施例の屋根の雪下ろし装置５０と前述した屋根の雪下ろし装置１との相違は、屋根の雪下ろし装置１が袋状体２の収縮により屋根の上の積雪を落下させるのに対して、屋根の雪下ろし装置５０は袋状体５２の膨張により屋根の上の積雪を落下させる点と、袋状体５２の形態のみであり他は同様である。屋根の雪下ろし装置１と同一構成部分について同一符号を付し説明を省略する。
【００５７】
具体的には、屋根の雪下ろし装置５０は、屋根の上面に載置され内部に供給される気体により膨張して積雪を落下させる袋状体５２と、袋状体５２に気体を供給するための気体供給手段３と、袋状体５２内から気体を排出するための気体排出手段（第２開閉弁）８と、袋状体５２と気体供給手段３とを連通する連通部４と、袋状体５２の上部に降り積もった積雪量を検知する検知手段５と、気体供給手段３と気体排出手段（第２開閉弁）８と検知手段５とを制御するための制御部６とを備え、制御部６は、検知手段５が設定量の積雪量を検知すると、気体供給手段３により袋状体５２内に気体を供給させて袋状体５２を膨張させ、袋状体５２の上部に降り積もった積雪を落下させるように制御するものである。
【００５８】
小袋状体５３の膨張部は、図７に示すように、側面視で、軒３１側に向かって低く、かつ棟３２側に向かって高い略三角形状に膨張するように構成されている。具体的には、この実施例の小袋状体５３の膨張部は、棟３２側が折り畳まれており、膨張に際して棟３２側が上方に向かって伸長することで棟３２側が高い略三角形状に膨張するように構成されている。これにより、小袋状体がより急斜面を形成することで屋根の上の積雪をより確実に落下させることができる。
【符号の説明】
【００５９】
１    屋根の雪下ろし装置
２    袋状体
３    気体供給手段
４    連通部
５    検知手段
６    制御部
７    第１開閉弁
８    気体排出手段（第２開閉弁）
９    検出手段
１０  報知手段
１１  小袋状体
１２  ファスナー
１３  シート部
１４  膨張部
１５  連通部接続口（エアー挿入口）
１６  気体排出口（エアー抜き口）
１７  連通管（エアーホース）
１８，１９，２０，２１    連通口
２２  堅結穴
２３  ロープ
２４  ウエイト
３０  屋根
３１  軒
３２  棟
３３  軒下
【図１】
2015068026.tif 000003
【図２】
2015068026.tif 000004
【図３】
2015068026.tif 000005
【図４】
2015068026.tif 000006
【図５】
2015068026.tif 000007
【図６】
2015068026.tif 000008
【図７】
2015068026.tif 000009